【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
入力設定器（１０）のアクティブ入力エレメント（Ｓ１ａ，Ｓ２ａ）を決定する方法であり、マトリクス設定（Ｍａ）に応じて接続される入力エレメント（Ｓ１ａ〜Ｓ２ｂ）を有し、
各駆動回路（２，  ４）にそれぞれ接続される少なくとも２の駆動線（Ｌ１，Ｌ２）を、前記マトリクス設定（Ｍａ）内に有し、
アクティブ入力エレメント（Ｓ１ａ，Ｓ２ａ）を検知するために使用される少なくとも２の読取り線（Ｃａ，Ｃｂ）を、前記マトリクス設定（Ｍａ）内に有し、
それぞれ入力エレメント（Ｓ１ａ〜Ｓ２ｂ）、抵抗（Ｒ１ａ〜Ｒ２ｂ）を有する直列接続（ＳＣ１〜ＳＣ４）で、前記駆動線（Ｌ１，Ｌ２）の１つと前記読取り線（Ｃａ，Ｃｂ）の１つとにそれぞれ接続されている各直列接続（ＳＣ１〜ＳＣ４）を、前記マトリクス設定（Ｍａ）内に有し、
前記読取り線（Ｃａ，Ｃｂ）を第１電位に接続するプルレジスタ（Ｒａ，Ｒｂ）を有し、
前記第１電位とは異なる第２電位にアクティブ駆動線（Ｌ１）を駆動できる前記駆動回路（２，４）、また、非アクティブ駆動線（Ｌ２）を駆動でき、又は非アクティブ駆動線を前記第１電位にまで、又は前記第１電位及び前記第２電位の差の絶対値の最大５０％若しくは１０％である前記第１電位からの絶対オフセット値を有する電位にまで駆動できる前記駆動回路（２，４）のための制御デバイスを用いることを含み、
前記駆動線（Ｌ１，Ｌ２）の第１駆動線（Ｌ１）をアクティブ化し、ここで好ましくは、前記駆動線（Ｌ１，Ｌ２）の１の駆動線（Ｌ１）のみが一回でアクティブであり、
電気信号の第１値を検知し、好ましくは、前記第１駆動線（Ｌ１）がアクティブの間、前記読取り線（Ｃａ，Ｃｂ）の第１読取り線（Ｃａ）上の、電位の第１値を検知し、
アンダーシュートのため、又は前記第１値により閾値（ＳＷ）を超えるため、前記第１駆動線（Ｌ１）及び前記第１読取り線（Ｃａ）の間の前記直列接続（ＳＣ１，ＳＣ２）内のアクティブ入力エレメント（Ｓ１ａ，Ｓ２ａ）を決定することを含み、
前記閾値（ＳＷ）は、アクティブ入力エレメント（Ｓ１ａ，Ｓ２ａ）の数から独立、又は前記第１読取り線（Ｌ１）上の、及び／又は前記読取り線（Ｌ２）上のアクティブ入力エレメントの少なくとも２、３又は４の異なる数から独立している、ことを特徴とする方法。
【請求項２】
前記校正線（Ｃｃｃ）が読み取られ、前記閾値（ＳＷ）は、前記駆動線（Ｌ１，Ｌ２）のアクティブ後、しかし読取り線（Ｃａ，Ｃｂ）の読取り前、好ましくは各駆動線（Ｌ１，Ｌ２）において、決定される、ことを特徴とする請求項１記載の方法。
【請求項３】
前記閾値（ＳＷ）は、更なる閾値又はそれぞれの読み取られた読取り線（Ｃａ，Ｃｂ）上のアクティブ入力エレメント（Ｓ１ａ〜Ｓ２ｂ）の異なる数を示す閾範囲（ＴＲ１〜ＴＲ１１）を計算又は決定するため使用される第１閾値となる、ことを特徴とする請求項１又は２に記載の方法。
【請求項４】
前記抵抗（Ｒ１ａ〜Ｒ２ｂ）、又は前記抵抗（Ｒ１ａ〜Ｒ２ｂ）及び前記プルレジスタ（Ｒａ，Ｒｂ，Ｒｃｃ）は、同じ抵抗値を有し、特に、最大抵抗に関しては５％、３％、又は１％未満の許容範囲内であり、
及び／又は、ここで、前記抵抗（Ｒ１ａ〜Ｒ２ｂ）は固定抵抗値を有し、好ましくは、前記抵抗（Ｒ１ａ〜Ｒ２ｂ）の圧力感度はなく、
及び／又は、ここで、前記抵抗（Ｒ１ａ〜Ｒ２ｂ）、又は前記抵抗（Ｒ１ａ〜Ｒ２ｂ）及び前記プルレジスタ（Ｒａ，Ｒｂ，Ｒｃｃ）は、カーボン印刷で製造され、
及び／又は、ここで、前記抵抗（Ｒ１ａ〜Ｒ２ｂ）は、少なくとも４．５ＫΩ又は５ＫΩの抵抗値を有する、ことを特徴とする請求項１乃至３のいずれか一項に記載の方法。
【請求項５】
前記マトリクス設定のスキャンは、下記測定の少なくとも１によって、より速められ、
−第１入力エレメント（Ｓ１ａ〜Ｓ２ｂ）が、前記検知値及びアクティブ入力エレメント（Ｓ１ａ〜Ｓ２ｂ）の数を示す閾値（ＴＲ１〜ＴＲ１１）に基づいてこの読取り線（Ｃａ，Ｃｂ）で検知されるやいなや、何個の入力エレメント（Ｓ１ａ〜Ｓ２ｂ）が読み取られた読取り線（Ｃａ，Ｃｂ）上でアクティブであるかを決定し、
多くのアクティブ入力エレメント（Ｓ１ａ〜Ｓ２ｂ）がアクティブ入力エレメント（Ｓ１ａ〜Ｓ２ｂ）の前記決定された数に等しいと検知されるとすぐに、更なる電気信号が検知されず、
全ての駆動線（Ｌ１，Ｌ２）が前記第２電位に駆動され、読取り線（Ｃａ，Ｃｂ）がアクティブ化された入力エレメント（Ｓ１ａ〜Ｓ２ｂ）を有していないと決定され、
これらの決定された読取り線（Ｃａ，Ｃｂ）は、現状のスキャンサイクル内でこれ以上、前記マトリクス設定（Ｍａ）のスキャンの間、考慮されず、
駆動している前記駆動線（Ｌ１，Ｌ２）の順番は、対応の前記駆動線（Ｌ１，Ｌ２）に接続されるアクティブ入力エレメント（Ｓ１ａ〜Ｓ２ｂ）の可能性に依存し、
２分法が前記駆動線（Ｌ１，Ｌ２）の駆動のために使用される、ことを特徴とする請求項１乃至４のいずれか一項に記載の方法。
【請求項６】
前記駆動線（Ｌ１，Ｌ２）の１の駆動線（Ｌ１）をアクティブ化し、電気信号の第１値を読み取り、好ましくは、前記第１駆動線（Ｌ１）の１つがアクティブの間、前記読取り線（Ｃａ，Ｃｂ）の第１読取り線（Ｃａ）上の、電位の第１値を読み取り、
前記読取り値が、入力エレメント（Ｓ１ａ〜Ｓ２ｂ）のいずれもが前記読み取られた読取り線（Ｃａ）上で押圧されていないことを示す値とは異なるか否かがテストされ、
前記アクティブ駆動線（Ｌ１）と前記読み取られた読取り線（Ｃａ）の間の前記入力エレメント（Ｓ１ａ）が、仮に前記テストが正ならば、前記入力エレメント（Ｓ１ａ）であるものとして分類され、
ゴーストキーのための更なるテストをすることなく、
アクティブ化されてはいないが、アクティブ入力エレメントとして検知される少なくとも１の入力エレメント（Ｓ１ａ〜Ｓ２ｂ）のための更なるテストをすることなく、
入力エレメント（Ｓ１ａ）であるものとして分類される入力エレメント（Ｓ１ａ〜Ｓ２ｂ）のキーコードが、好ましくはＵＳＢ又はブルートゥース（登録商標）プロトコルを介してコンピュータに送信され、
前記第１電位は、前記正操作電位である、ことを特徴とする請求項１乃至５のいずれか一項に記載の方法。
【請求項７】
上記いずれか１の請求項の方法を実行するための入力設定器（１０）であり、
複数の入力エレメント（Ｓ１ａ，Ｓ２ａ）を備え、
前記入力エレメント（Ｓ１ａ，Ｓ２ａ）は、マトリクス設定（Ｍａ）に応じて接続され、
前記マトリクス設定（Ｍａ）は、各駆動回路（２，４）にそれぞれ接続される少なくとも２の駆動線（Ｌ１，Ｌ２）を備え、
前記マトリクス設定（Ｍａ）は、アクティブ入力エレメント（Ｓ１ａ，Ｓ２ａ）を検知するために使用される少なくとも２の読取り線（Ｃａ，Ｃｂ）を備え、
前記マトリクス設定（Ｍａ）に応じ、それぞれ入力エレメント（Ｓ１ａ〜Ｓ２ｂ）、抵抗（Ｒ１ａ〜Ｒ２ｂ）を有する直列接続（ＳＣ１〜ＳＣ４）が、前記駆動線（Ｌ１，Ｌ２）の１つと前記読取り線（Ｃａ，Ｃｂ）の１つとにそれぞれ接続されており、
ここに、前記マトリクス設定（Ｍａ）は、校正線（Ｃｃｃ）を備え、
各参照抵抗（Ｒ１ｃｃ，Ｒ２ｃｃ）は、前記校正線（Ｃｃｃ）と各駆動線（Ｌ１，Ｌ２）にそれぞれ接続され、
及び、前記校正線（Ｃｃｃ）は、校正値を検知する検知部に接続され、又は接続可能である、ことを特徴とする入力設定器（１０）。
【請求項８】
前記読取り線（Ｃａ，Ｃｂ）は、プルレジスタ（Ｒａ，Ｒｂ）により第１電位に接続され、
前記第１電位とは異なる第２電位にアクティブ駆動線（Ｌ１）を駆動できる前記駆動回路（２，４）、また、非アクティブ駆動線（Ｌ２）を駆動でき、又は非アクティブ駆動線を前記第１電位にまで、又は前記第１電位及び前記第２電位の差の絶対値の最大５０％若しくは１０％である前記第１電位からの絶対オフセット値を有する電位にまで駆動できる前記駆動回路（２，４）のための制御デバイスがある、ことを特徴とする請求項７に記載の入力設定器。
【請求項９】
閾値決定部を備え、当該閾値決定部は、アクティブ入力エレメント（Ｓ１ａ〜Ｓ２ｂ）の数から独立に、又は同じ読取り線（Ｃａ，Ｃｂ）に接続されたアクティブ入力エレメントの少なくとも２，３又は少なくとも４の異なる数から独立に入力エレメント（Ｓ１ａ〜Ｓ２ｂ）のアクティブを示す閾値（ＳＷ）を決定、及び／又は同じ読取り線（Ｃａ，Ｃｂ）に接続されたアクティブ入力エレメント（Ｓ１ａ〜Ｓ２ｂ）の正確な数を示す少なくとも１の閾値又は閾範囲（ＴＲ１〜ＴＲ１１）を決定する、ことを特徴とする請求項７に記載の入力設定器（１０）。
【請求項１０】
参照電位を使用する操作電位により操作される検知部（ＡＤＣ）を備え、
前記参照電位は、前記検知部の前記操作電位に比べて、抑えるようにフィルターされる、ことを特徴とする請求項７乃至９のいずれか一項に記載の入力設定器（１０）。
【請求項１１】
前記抵抗（Ｒ１ａ〜Ｒ２ｂ）、又は前記抵抗（Ｒ１ａ〜Ｒ２ｂ）及び前記プルレジスタ（Ｒａ，Ｒｂ，Ｒｃｃ）は、同じ抵抗値を有し、特に、最大抵抗に関しては５％、３％、又は１％未満の許容範囲内であり、
及び／又は、前記抵抗（Ｒ１ａ〜Ｒ２ｂ）は固定抵抗値を有し、好ましくは、前記抵抗（Ｒ１ａ〜Ｒ２ｂ）の圧力感度はなく、
及び／又は、前記抵抗（Ｒ１ａ〜Ｒ２ｂ）、又は前記抵抗（Ｒ１ａ〜Ｒ２ｂ）及び前記プルレジスタ（Ｒａ，Ｒｂ，Ｒｃｃ）は、カーボン印刷で製造され、
及び／又は、前記抵抗（Ｒ１ａ〜Ｒ２ｂ）は、少なくとも４．５ＫΩ又は５ＫΩの抵抗値を有する、ことを特徴とする請求項７乃至１０のいずれか一項に記載の入力設定器（１０）。
【請求項１２】
前記直列接続（ＳＣ１〜ＳＣ４）は、前記マトリクス設定（Ｍａ）のキャリアー基板に関して不動な抵抗（Ｒ１ａ〜Ｒ２ｂ）を備え、
又は、前記直列接続（ＳＣ１〜ＳＣ４）は、前記マトリクス設定（Ｍａ）のキャリアー基板に関して可動な抵抗（Ｒ１ａ〜Ｒ２ｂ）を備える、ことを特徴とする請求項７乃至１１のいずれか一項に記載の入力設定器（１０）。
【請求項１３】
前記マトリクス設定（Ｍａ）に接続された及び／又は以内で、デカップリングダイオードを含まない、ことを特徴とする請求項７乃至１２のいずれか一項に記載の入力設定器（１０）。
【請求項１４】
前記駆動回路（２，４）又は前記駆動線（Ｌ１，Ｌ２）を駆動するための前記駆動回路（２，４）は、直接前記駆動線（Ｌ１，Ｌ２）に、又は２００Ω又は１００Ωより小さな抵抗を有する直列レジスタ（６，８）を使用することにより、接続され、
プルレジスタは、前記駆動回路（２，４）の１の出力に接続されて使用されず、又はプルレジスタは、前記前記駆動回路（２，４）の複数の出力に接続されて使用されず、特に、いかなるプルレジスタも１ＫΩ又は４ＫΩより大きな抵抗値を有しない、ことを特徴とする請求項７乃至１３のいずれか一項に記載の入力設定器（１０）。
【請求項１５】
前記駆動回路（２，４）又は前記複数の駆動回路（２，４）は、マイクロコントローラー部（２６）の出力回路となる、ことを特徴とする請求項７乃至１４のいずれか一項に記載の入力設定器（１０）。